(57)【要約】【課題】流路の圧力損失を増加させること無く、ファン音を遮蔽する部材を設け、低騒音の天井埋込型空気調和機の室内機を提供する。【解決手段】筐体内部にターボファン，熱交換器を有し、筐体下部中央に設けた空気吸込口から室内空気を筐体内部に流入させ、熱交換器によってその空気と冷媒の間で熱交換を行った後、その空気を筐体下部の空気吸込口の周囲に設けた空気吹出口より室内に吐出する天井埋込型の空気調和機の室内機において、空気吸込口の中央に遮蔽部材を設け、室内機を運転している際には、その遮蔽部材が下方に下げる。【選択図】図１
2008051414.tif 000002
【特許請求の範囲】
【請求項１】
筐体内部に遠心型のターボファンと熱交換器を備え、前記ターボファンで前記筐体下部中央に設けた空気吸込口から室内空気を筐体内部に流入させて前記熱交換器で熱交換を行い、この熱交換された空気を前記筐体下部の空気吸込口の周囲に設けた空気吹出口より室内に吐出する天井埋込型の空気調和機用室内機において、
前記空気吸込口の中央に遮蔽部材を設け、室内機を運転している際には前記遮蔽部材が下方に下がることを特徴とする天井埋込型の空気調和機の室内機。
【請求項２】
請求項１の空気調和機用室内機において、
前記遮蔽部材の大きさは前記ターボファンの吸込直径よりも大きいことを特徴とする天井埋込型の空気調和機用室内機。
【請求項３】
請求項１乃至２のいずれかに記載の空気調和機用室内機において、
前記空気吸込口である吸込グリルはその中央部分が間隙となっており、遮蔽部材を内含できるようにしたことを特徴とする天井埋込型の空気調和機用室内機。
【請求項４】
請求項１乃至３のいずれかに記載の空気調和機用室内機において、
前記遮蔽部材が下がった状態で、前記遮蔽部材の周長をＬ、面積をＡ、遮蔽部材の背面とその周囲の吸込グリルとの高さの差をｈとしたとき、ｈ≧Ａ／Ｌ×０.７であることを特徴とする天井埋込型の空気調和機用室内機。
【請求項５】
請求項１乃至４のいずれかに記載の空気調和機用室内機において、
前記遮蔽部材の裏側には吸音材が貼付されていることを特徴とする天井埋込型の空気調和機用室内機。
【請求項６】
請求項１乃至５のいずれかに記載の空気調和機用室内機において、
前記遮蔽部材を支持する複数のステーが、前記遮蔽部材が下がった状態で斜めになっていることを特徴とする天井埋込型の空気調和機用室内機。
【発明の詳細な説明】
【技術分野】
【０００１】
本発明は、天井埋込型の空気調和機用室内機に関するものである。
【背景技術】
【０００２】
天井埋込型の空気調和機は、筐体内部に遠心型のターボファンと熱交換器を有し、このターボファンを回転させることによって、筐体下部中央に設けた空気吸込口から室内空気を筐体内部に流入させ、熱交換器によってその空気と冷媒の間で熱交換を行った後、その空気を筐体下部の空気吸込口の周囲に設けた空気吹出口より室内に吐出するものである。
【０００３】
空気調和機の室内機は、その筐体内部にファン，熱交換器を有し、そのファンを回転させることによって室内空気を筐体内部に流入させ、熱交換器によってその空気と冷媒の間で熱交換を行う形態が一般的である。一例として、特許文献１にはそのような室内機に関する発明が記されている。
【０００４】
図７はこの種天井埋込型の空気調和機の一般的な構成を示す図である。  
図７において、モータ１によってファン２を回転させると、空気Ａの流れが発生し、グリル４，フィルタ５を通って、空気が筺体６内部に流入する。流入した空気Ａは、ファン２，熱交換器３を通過する。熱交換器３を通過する際、空気と熱交換器３との間で熱交換が行われ、熱交換を行った空気Ａは吹出口７からそのまま室内へと吹き出される。１１はベルマウスである。
【０００５】
この形態の空気調和機の主音源はファン２である。なかでも減速翼列で構成されたファン２の場合は、回転する翼２ａに対する流れの速度が吸込側（前縁側）で高く、音源となっている。したがって、この形態の室内機では、途中に空気を通すフィルタ５やグリル４はあるものの、筐体６の下方、すなわち室内に向けて、ほとんど音源が剥き出しの状態であった。
【０００６】
【特許文献１】特許第３０３４８２５号公報
【発明の開示】
【発明が解決しようとする課題】
【０００７】
ファンから放出される音が直接、室内に伝播するのを抑制できれば、低騒音の空気調和機の室内機を提供することができる。しかし、そのまま流路（この場合は吸込側）にただ音を遮蔽する部材を配置することは空気流路の圧力損失（流路抵抗）を増加させてしまう。そのため、所要風量を得るためのファン回転数が増加し、必ずしも騒音低減につながらない。
【０００８】
さらには、室内機の据付性の点から、筐体の寸法を大きくすることも好ましくない。したがって音を遮蔽する構造を現行の室内機筐体内に設けるのは非常に難しい。
【０００９】
本発明の目的は、低騒音化を図った天井埋込型の空気調和機用室内機を提供することにある。
【課題を解決するための手段】
【００１０】
上記目的は、筐体内部に遠心型のターボファンと熱交換器を備え、前記ターボファンで前記筐体下部中央に設けた空気吸込口から室内空気を筐体内部に流入させて前記熱交換器で熱交換を行い、この熱交換された空気を前記筐体下部の空気吸込口の周囲に設けた空気吹出口より室内に吐出する天井埋込型の空気調和機用室内機において、前記空気吸込口の中央に遮蔽部材を設け、室内機を運転している際には前記遮蔽部材が下方に下がることにより達成される。
【００１１】
前記遮蔽部材の大きさは前記ターボファンの吸込直径よりも大きいことにより達成される。
【００１２】
前記空気吸込口である吸込グリルはその中央部分が間隙となっており、遮蔽部材を内含できるようにしたことにより達成される。
【００１３】
前記遮蔽部材が下がった状態で、前記遮蔽部材の周長をＬ、面積をＡ、遮蔽部材の背面とその周囲の吸込グリルとの高さの差をｈとしたとき、ｈ≧Ａ／Ｌ×０.７ であることにより達成される。
【００１４】
前記遮蔽部材の裏側には吸音材が貼付されていることにより達成される。
【００１５】
前記遮蔽部材を支持する複数のステーが、前記遮蔽部材が下がった状態で斜めになっていることにより達成される。
【発明の効果】
【００１６】
本発明によれば、低騒音化を図った天井埋込型の空気調和機用室内機を提供できる。
【発明を実施するための最良の形態】
【００１７】
以下、本発明の一実施例を説明する。
【実施例１】
【００１８】
以下、本発明の実施例を図面を用いて説明するが、本発明はこれに限定されるものではない。
【００１９】
第１の実施例として、本発明を天井埋込型４方向吹出しのパッケージエアコン室内機に対して適用した場合の構成を、図１から図３に示す。  
図１は本室内機の稼動時の側断面図である。  
図２は同じ室内機の停止時の側断面図である。  
図３は同じ室内機を下方、すなわち室内側から見た平面図である。  
この空気調和機の室内機は、ファン２の下流側にファン２を囲むように熱交換器３を配置している。  
本室内機の作動状況を説明する。室内機の熱交換器３は、室外機に設置された圧縮機や室外機の熱交換器（図示せず）等と配管で接続されており、その中を冷媒が流れることで冷凍サイクルを構成している。モータ１によってファン２を回転させると、空気Ａの流れが発生し、グリル４，フィルタ５を通って、空気が筺体内部に流入する。流入した空気Ａは、ファン２，熱交換器３を通過する。熱交換器３を通過する際、空気と熱交換器３との間で熱交換が行われる。熱交換を行った空気Ａは吹出口７から室内へ吹き出される。１０は遮蔽部材の支持ステーであり、１１はベルマウスである。
【００２０】
本実施例では、図１〜図３に示すように、グリル４の中央部分に角型の遮蔽部材８ａを有している。空気調和機として稼動しているとき、すなわちファン２が回転して空気Ａの流れが発生しているときは、図１に示すように、その遮蔽部材８ａが高さｈを置いて下方に下がった状態となっている。
【００２１】
これにより、空気Ａの流れは、従来のグリル４部分と、遮蔽部材８ａの裏側８ｃを通して筐体６の内部に流入することになる。このとき、遮蔽部材８ａの大きさをファン２の吸込部の直径、すなわち図１におけるｄｓよりも大きくする（この場合、一辺の長さがｄｓより大きな角型の遮蔽部材８ａ）ことで、室内側からは主音源であるファン２が直接は見えないようになる。したがって、音源から放射された音が室内にいる人間の耳に直接到達することがないので、騒音としては小さくなる。もちろん遮蔽部材８ａを透過してくる音も存在するが、従来のように直接到達する場合に比べて、そのレベルは低下する。また、筐体６の内部を反射してくる音については、吸音材による吸音が効果的である。本実施例のように、遮蔽部材８ａの裏側（上側）に吸音材９を貼付すれば、一度、遮蔽部材８ａに反射してから室内に放射される音の低減についても効果的である。
【００２２】
遮蔽部材８ａの設置によって、筐体６への空気吸込口の面積が小さくなり、圧力損失が増加することが懸念されるが、本実施例ではこの点に考慮して、遮蔽部材８ａの周長をＬ、面積をＡとしたとき、遮蔽部材８ａの背面とその周囲のグリル４との高さの差をｈ
ｈ≧Ａ／Ｌ×０.７                                                   （１）
としている。圧力損失を増加させないためには、遮蔽部材８ａで閉塞される面積（すなわち遮蔽部材の面積Ａ）と同等の吸込面積を遮蔽部材８ａ付近に設け、グリル４とフィルタ５を通過する空気の流速を増加させなければよい。そのためには、
ｈ≧Ａ／Ｌ                                                          （２）
を満足するだけの寸法ｈを採ればよい。
【００２３】
一方で、本実施例では、遮蔽部材８ａの背後については吸込グリルを無くしている。すなわち、空気吸込口としては中央部分が空いたグリル４と中央の遮蔽部材８ａという組み合わせになっている。このため、遮蔽部材８ａの背後から流入する空気は従来あったグリル４を通過する必要が無く、その分、周囲のグリル４を通過する流れよりも圧力損失が低めになりやすい。この点も考慮すると、必ずしも、式（２）を満足する必要は無く、流路面積として７０％程度を満たすとした式（１）でも、圧力損失を増加させないという目的は十分達成できる。
【００２４】
さらに、遮蔽部材８ａの背後から流入する空気は従来あったグリル４を通過する必要が無く、その分、周囲のグリル４を通過する流れよりも圧力損失が低めになりやすいということは、より中央部分で空気を吸い込みやすいということである。もし、グリル４の中央部分よりも周囲部分で空気を吸い込みやすいとしたら、主要な空気の吸込口と、吹出口７が非常に近接した状態となってしまう。そうした場合、室内機から吹き出した空気をそのまま、また室内機に吸い込んでしまう、いわゆるショートサーキットの状態となってしまい、空気調和機として好ましくない運転状態となる。本発明では、上記のように、吸込口の中央部分で空気を吸い込みやすい状態を作りやすいので、ショートサーキット防止のためにも効果的である。
【００２５】
さらに言えば、グリル４の中央部分が空いていることにより、室内機停止時には遮蔽部材８ａをグリル４に内含することが可能となる。こうすることで、停止時には、図２に示すように従来の室内機と同様の意匠性を確保することができる。
【実施例２】
【００２６】
図４に本発明の第２の実施例を示す。  
図４は、第２の実施例となる室内機を下方すなわち室内側から見た平面図である。  
第１の実施例との違いは、遮蔽部材８ｂが角型ではなく、円形となっていることである。
【００２７】
円形とすることで、ファン２の吸込部分を覆う面積は、角型の場合よりも小さくなる。角型以外の場合でも、式（１），式（２）は有効であるから、遮蔽部材８ａの面積Ａが小さい分、遮蔽部材８ａの背面とその周囲の吸込グリルとの高さの差ｈは小さくすることができる。また、遮蔽部材８ａ自体も軽くなるので、それを支持するステーを細くすることもできる。
【実施例３】
【００２８】
図５に本発明の第３の実施例を示す。  
図５は、第３の実施例となる室内機の側断面図である。  
前記の実施例との違いは、遮蔽部材８ａを支持するステー１０ａが、室内機稼動状態において、斜めになっていることである。
【００２９】
遮蔽部材８ａの周囲には空気が流れており、そのため、遮蔽部材８ａやその支持ステー１０ａには幾分かの流体力が作用する。例えば、図１に示したように、支持ステー１０を鉛直方向に配置した形態の場合、遮蔽部材８ａの上下の揺動については抑制が期待できるが、水平方向の揺動については弱い。それに対して、図５のように、支持ステー１０ａが斜めになっていれば、さらに水平方向の揺動にも抑制が期待できる。
【００３０】
図６は、遮蔽部材８ａを上下に動かす機構の一例を示す図である。  
小型モータ（図示せず）によって駆動されるピニオンギア１２は、その回転とともにラックギア１３上を水平方向に移動する。ラックギア１３は周囲のグリル４の一部の桟と一体で構成されている。周囲から遮蔽部材を支持するステー１０ａが同時に同様の動きをすることで、遮蔽部材８ａの上下動がなされる。
【００３１】
以上のように本発明は、筐体内部に遠心型のターボファン，熱交換器を有し、そのファンを回転させることによって、筐体下部中央に設けた空気吸込口から室内空気を筐体内部に流入させ、熱交換器によってその空気と冷媒の間で熱交換を行った後、その空気を筐体下部の空気吸込口の周囲に設けた空気吹出口より室内に吐出する天井埋込型の空気調和機の室内機に関わるものであり、特にファン吸込口が主音源となっている場合に大きな効果を発揮するものである。同様の特徴，ニーズを有する空気調和機であればその効果は期待できるものである。
【図面の簡単な説明】
【００３２】
【図１】本発明の第１の実施例の室内機の稼動時の側断面図である。
【図２】本発明の第１の実施例の室内機の停止時の側断面図である。
【図３】本発明の第１の実施例の室内機を下方（室内側）から見た平面図である。
【図４】本発明の第２の実施例の室内機を下方（室内側）から見た平面図である。
【図５】本発明の第３の実施例の室内機の稼動時の側断面図である。
【図６】本発明の第３の実施例の室内機の遮蔽部材可動機構の説明図である。
【図７】従来の室内機の側断面図である。
【符号の説明】
【００３３】
１…モータ、２…ファン、３…熱交換器、４…グリル、５…フィルタ、６…筐体、７…吹出口、８ａ，８ｂ…遮蔽部材、９…吸音材、１０，１０ａ…遮蔽部材の支持ステー、
１１…ベルマウス、１２…ピニオンギア、１３…ラックギア、Ａ…空気。
【図１】
2008051414.tif 000003
【図２】
2008051414.tif 000004
【図３】
2008051414.tif 000005
【図４】
2008051414.tif 000006
【図５】
2008051414.tif 000007
【図６】
2008051414.tif 000008
【図７】
2008051414.tif 000009